(57)【特許請求の範囲】
【請求項１】
立設状態のドアの一方側が取り付け部材を介してドア枠に回動可能に取り付けられたドアの開閉構造において、
前記ドア枠は前記ドアの四方を囲む枠体と、該枠体の内側の前記ドアの軸心側に配置される戸当たりとを有し、
前記ドアの一側端部の断面形状を、該ドアの前記取り付け部材に対する回動軸心を中心とする半径ａの円弧に形成し、
前記戸当たりは前記ドア側の断面形状が前記回動軸心を中心とする半径ｂの円弧に形成され、前記半径ｂが前記半径ａより５ｍｍ以下の範囲で大きく、
しかも、前記戸当たりの上部には回動して開いた前記ドアと接触する部分をストッパーとして残して前記戸当たりの前記ストッパーの下側には切欠きが形成されていることを特徴とするドアの開閉構造。
【請求項２】
請求項１記載のドアの開閉構造において、前記ドアの回動軸心は、前後方向中心位置にあって、前記ドアの一側端部の断面形状は半円であることを特徴とするドアの開閉構造。
【請求項３】
請求項１及び２のいずれか１項に記載のドアの開閉構造において、前記ドアの一側端部及び／又は前記ドア枠の内側には、少なくとも該ドアの閉止時に該ドアと前記ドア枠のシールを行うシール部材が設けられていることを特徴とするドアの開閉構造。
【発明の詳細な説明】
【０００１】
【発明の属する技術分野】
本発明は、一方側が、ドア枠に回動可能に取付けられたドアの開閉構造に関する。
【０００２】
【従来の技術】
従来、図５に示すように、立設状態のドア８１は、その一方側を丁番（蝶番）８０を介して、ドア枠８２に開閉可能に取付けられていた。丁番８０は、中央の管状部８５に挿入したピン８６を軸心として、左右のほぼ同形の金属板（蝶板）８３、８４が、回動できる構造になっており、金属板８３、８４をそれぞれドア８１、ドア枠８２に木ねじ等で取付けることにより、ドア８１の回動を行っている。丁番は、門扉用の大型のものから小箱用のものまで種類が多い。
また、建築物の扉の上下に軸木をつけ、それを敷居、鴨居、長押などにあけた穴にさしこんで扉を回転させて開閉させる構造もある。
【０００３】
【発明が解決しようとする課題】
しかしながら、従来の丁番では、ドアの閉止動作時に丁番を取付けた側のドアとドア枠の間に指等を挟む事故が起こり、大変危険であった。ドアとドア枠にゴム等で形成した指詰め防止部材を取付けて指を挟まないようにすることもできるが、ドアの生産性、及び設置作業性が悪く、また、ドアの美観が損なわれるという問題があった。
また、軸木を用いた方法においても、扉と扉の軸木側に対峙する戸当たりとの間にできる隙間に指を挟むことがあり危険であった。
本発明はかかる事情に鑑みてなされたもので、ドアの閉止動作時に、ドアとドア枠との回動中心付近において、指等の挟まる隙間のない安全なドアの開閉構造を提供することを目的とする。
【０００４】
【課題を解決するための手段】
前記目的に沿う本発明に係るドアの開閉構造は、立設状態のドアの一方側が取り付け部材を介してドア枠に回動可能に取り付けられたドアの開閉構造において、
前記ドア枠は前記ドアの四方を囲む枠体と、該枠体の内側の前記ドアの軸心側に配置される戸当たりとを有し、
前記ドアの一側端部の断面形状を、該ドアの前記取り付け部材に対する回動軸心を中心とする半径ａの円弧に形成し、
前記戸当たりは前記ドア側の断面形状が前記回動軸心を中心とする半径ｂの円弧に形成され、前記半径ｂが前記半径ａより５ｍｍ以下の範囲で大きく、
しかも、前記戸当たりの上部には回動して開いた前記ドアと接触する部分をストッパーとして残して前記戸当たりの前記ストッパーの下側には切欠きが形成されている。これによって、その隙間に指等が入り込まず、ドアの開閉動作時の指詰め等の事故を防止することができる。
【０００５】
本発明に係るドアの開閉構造において、ドアの回動軸心は、前後方向中心位置にあって、ドアの一側端部の断面形状は半円であってもよい。これによって、ドアの設計及び形成が簡単になる。
本発明に係るドアの開閉構造において、ドアの一側端部及び／又はドア枠の内側には、少なくともドアの閉止時にドアとドア枠のシールを行うシール部材を設けてもよい。これによって、ドアの閉止時にはドアとドア枠がシールされる。
【０００６】
【発明の実施の形態】
続いて、添付した図面を参照しつつ、本発明を具体化した実施の形態につき説明し、本発明の理解に供する。
ここで、図１（Ａ）は本発明の一実施の形態に係るドアの開閉構造の一部省略正面図、（Ｂ）は矢視Ａ−Ａ断面図、図２（Ａ）、（Ｂ）はそれぞれ同ドアの開閉構造の取付け金具の説明図、その変形例の説明図、図３（Ａ）〜（Ｃ）はそれぞれドアの回動角度を９０度、１８０度、１６０度とした場合のドアの開閉構造を示す説明図、図４（Ａ）は本発明の他の実施の形態に係るドアの開閉構造の一部省略正面図、（Ｂ）は矢視Ｂ−Ｂ断面図、（Ｃ）は一部省略側面図である。
【０００７】
図１（Ａ）、（Ｂ）に示すように、本発明の一実施の形態に係るドアの開閉構造１０は、立設状態の木製のドア１１と、ドア１１の外側に設置されるドア枠１２と、ドア１１をドア枠１２に回動可能に取付ける取付け部材の一例であるステンレス製の取付け金具１３、１４を有している。ドア１１、ドア枠１２、及び取付け金具１３、１４は、それぞれ前後方向に同じ厚み（例えば厚さ３０ｍｍ）に形成され、更に、ドア１１の閉止状態からの回動角度θは、手前側（前側）に１００度としており、奥側（後側）にはストッパー４７によって回動できないように形成されている。ドア枠１２は、壁１５に設置され、ドア１１、ドア枠１２、及び壁１５は同一平面上に配置されている。
【０００８】
ドア１１の一側（回動中心側）の上部及び下部には平面視して前後方向の中心位置（つまり、ドアの厚みの半分）に回動軸心１６が設けられ、ドア１１の一側端部の断面形状は、例えば、回動軸心１６を中心とした半径ａ（１５ｍｍ）の半円形に形成されている。また、回動軸心１６を中心として小径の軸穴１７がドア１１上部に穿設されている。更に、ドア１１の回動軸心１６位置を含む上端部には、取付け金具１３を取付けるための切欠き１８を設け、ドア１１に取付け金具１３を取付けると、面一となるような深さ（つまり、取付け金具１３の厚み）に形成されている。取付け金具１３は、ドア１１の厚みと同一の幅を有し、取付け金具１３の一側端部の断面形状もドア１１の断面形状と同じ半円としており、軸穴１７と同径の軸受け孔１９を有している。更に、取付け金具１３は、木ねじ２０等でドア１１に取付ける取付け孔２１が複数、例えば２つ設けられている。取付け金具１３は、切欠き１８にはめ込まれ、木ねじ２０でドア１１に取付けられている。
【０００９】
また、ドア１１の一側下部には回動軸心１６を中心として実質的に軸穴１７と等しい孔径の軸穴１７ａが穿設されている。ドア１１の回動軸心１６位置を含む下端部には、取付け金具１３と実質的に同じ形状である取付け金具１３ａを取付けるための切欠き１８ａが設けられ、ドア１１に取付け金具１３ａを取付けると、面一となるような深さに形成されている。なお、取付け金具１３ａは、軸穴１７ａと同径の軸受け孔１９ａを有し、複数、例えば２つの取付け孔２１ｂが設けられ、木ねじ２０等でドア１１に取付けられている。
【００１０】
ドア枠１２は、ドア１１の四方を囲む木製の枠体２２と、枠体２２内側のドア１１の軸心側に配置されるアルミニウム製の戸当たり２３とを有している。枠体２２の上部内側には、取付け金具１４を取付ける切欠き２４が設けられ、取付け金具１４を取付けると、枠体２２上部の内側が面一になるように形成されている。取付け金具１４には、ドア１１の軸穴１７、及び取付け金具１３の軸受け孔１９に挿入される軸棒２５が溶接（ねじ結合、一体形成等であってもよい）により取付けられ、軸棒２５（回動軸心１６）を中心としてドア１１が回動可能となっている。また、取付け金具１４には、木ねじ２０等でドア枠１２に取付けるための取付け孔２１ａが複数、例えば２つ設けられている。
取付け金具１４の軸棒２５は、長さが短いときには、ドア１１が枠体２２から外れるため、長くするのが好ましいが、長すぎるとドア１１の枠体２２への取付けが困難である。したがって、枠体２２の下部内側には、軸棒２８の長さを調整できる取付け金具２６が取付けられている。枠体２２下部の内側には取付け金具２６の厚みと実質的に等しい深さの切欠き２４ａが設けられ、取付け金具２６を取付けると枠体２２下部の内側が面一になるように形成されている。
【００１１】
図２（Ａ）を参照しながら、軸棒２８の上下方向の長さを調整することができる取付け金具２６について説明する。取付け金具２６は、取付け金具本体３０と軸棒２８を有している。軸棒２８は、取付け金具本体３０に溶接により取付けられたボルト３１、ボルト３１と対となるナット３２、及びボルト３１に挿入され、取付け金具本体３０とナット３２との間に配置されるスペーサー３３とを有している。ナット３２及びスペーサー３３の断面形状は、軸穴１７ａと同じ円形である。軸棒２８の長さの調整は、ナット３２を回転させ、ナット３２を上下させて行うことが可能である。また、取付け金具２６は、複数、例えば２つの木ねじ用の取付け孔３４を有し、木ねじ２０により、枠体２２に取付けることができる。
【００１２】
また、図２（Ｂ）に示すように、取付け金具２６の代わりに、より厚みのある取付け金具２７を用いることもできる。取付け金具２７は、取付け金具２６の取付け金具本体３０よりも厚く形成されている取付け金具本体３５を有している。取付け金具本体３５には、ボルト３６の取付け穴３７が穿設され、スペーサー３８を挟んで、ボルト３６を取付け穴３７にねじ込んで形成される。ボルト３６のヘッド３９及びスペーサー３８の断面形状は、軸穴１７ａと実質的に形状が同じ円形であり、軸棒２９の長さの調整は、ボルト３６の回転によって行うことができる。更に、取付け金具２７は、複数、例えば２つの木ねじ２０用の取付け孔４０を有し、木ねじ２０により枠体２２に取付けることができる。なお、取付け金具本体３５が取付け金具本体３０よりも厚いため、枠体２２に形成する切欠きの深さは、切欠き２４ａよりも深くしなければならない。
【００１３】
戸当たり２３は、ドア１１の回動中心側端部と、５ｍｍ以下の隙間（例えば、２ｍｍ）を設けて配置される。つまり、戸当たり２３のドア側の断面形状は、回動軸心１６を中心とした半径ｂ（ｂ＝ａ＋隙間、つまり、１５＋２＝１７ｍｍ）の円弧である。
以下に、戸当たり２３の形成方法について説明する。戸当たり２３は、幅３０ｍｍ、厚さは適度、例えば、３０ｍｍ、高さは枠体２２の内側の高さと同じ長さの角柱に形成されたアルミニウムで造られている。まず、幅方向を半径ｂの円弧となるように切削する。次に、ドア１１の手前側への回動角度を１００度とするために、ドア１１を１００度回動させたときに、ドア１１と接触する部分を切削する。なお、この切削によって、戸当たり２３の円弧の中心角αは約８０度となっている。
【００１４】
更に、ドア１１を手前側に開いたときに、前記した切削部分との隙間で指等を挟まないように、戸当たり２３上部（例えば、上から１０ｍｍ）に１００度回動したドア１１と接触する部分をストッパー４２として残し、ストッパー４２の下側部分には、枠体２２と戸当たり２３のねじ止めに必要な奥行きを有する切欠き４３を形成している。この切欠き４３によって、指等を挟むことがなく安全である。なお、この切欠き４３にゴム、スポンジ状物質、及びＡＴ材のいずれか１、又は２以上を挿入してもよい。更に、戸当たり２３は、枠体２２の奥側に設けられた切欠き４４にはまり込む凸部４５が形成されている。
また、戸当たり２３は、枠体２２へ取付けるために、取付け孔４６が、切削部分及び凸部４５にそれぞれ所定の間隔で複数設けられ、枠体２２に木ねじ２０で取付けられている。
【００１５】
また、ドア１１が奥側に開かないように、ドア１１の他側の枠体２２上部には木製のストッパー４７が木ねじで取付けられている。ストッパー４７は、ドア１１の閉止状態において、ドア１１の他端部側上部の奥側に当たるように配置されている。
更に、ドア１１及び戸当たり２３は、回動軸心１６から半径方向にそれぞれの内側に向けて平面視して両横方向に広がる拡幅切れ込み部４８、４９が上下方向に設けられている。なお、拡幅切れ込み部４８、４９は、それぞれドア１１、戸当たり２３の上端から下端まで垂直方向に形成されている。
更に、拡幅切れ込み部４８、４９に挿入して、ドア１１の閉止状態で密着するシール部材の一例であり磁石の粉を混合したゴムで形成したゴムパッキン５０、５１が、それぞれ取付けられている。なお、ゴムパッキン５０、５１は、それぞれ拡幅切れ込み部４８、４９の長さに造られ、ドア１１を閉止状態にしたときには、外気や雨等がドア１１と戸当たり２３の隙間から入らず、気密性、水密性に優れている。
【００１６】
次に、ドア１１のドア枠１２への取付けについて説明する。ドア１１は、ドア１１の上部及び下部の切欠き１８、１８ａに、それぞれ取付け金具１３、１３ａが取付けられている。また、枠体２２には、戸当たり２３が取付けられ、ドア枠１２が造られている。枠体２２の下部の切欠き２４ａには、軸棒２８の長さを短く調整した取付け金具２６が取付けられている。
まず、取付け金具１３の軸受け孔１９及びドア１１の軸穴１７に取付け金具１４の軸棒２５を挿入し、取付け金具１４をドア１１にはめ込む。次に、ドア１１を斜めに傾けて、ドア１１下部の取付け金具１３ａの軸受け孔１９ａに軸棒２８を挿入する。軸受け孔１９ａ、軸穴１７ａに軸棒２８を徐々に挿入しながら、ドア１１を起こし立設状態にする。その際に、ドア１１に挿入している取付け金具１４を枠体２２上部の切欠き２４にはめ合わせる。取付け金具１４は、ドア１１を開いた状態で取付け孔２１ａに木ねじ２０で取付けられる。更に、取付け金具２６の軸棒２８のナット３２を回転して、上方に移動させ、ドア１１が外れない位置まで高さ（長さ）を調整する。
【００１７】
次に、図３（Ａ）〜（Ｃ）に示すように、ドア１１の回動角度を、９０度、１８０度、１６０度（それぞれθ1 、θ2 、θ3 で示す）としたときのドアの開閉構造５２、５３、５４について説明する。ドアの開閉構造５２〜５４は、それぞれ戸当たり５５〜５７を除いて、ドアの開閉構造１０と実質的に同じに造られている。
ドアの開閉構造５２は、枠体２２にストッパー４７を取付けて、奥側への回動角度を０度としている。更に、ドア１１の閉止状態から手前側へ回動角度を９０度とするために、戸当たり５５は、円弧の手前側で、ドア１１を９０度に開いたときに接触する部分が切削され、その切削部分上部にはストッパー５８を有している。なお、この切削により、戸当たり５５の円弧の中心角α1 は約９０度となっている。更に、戸当たり２３と同様に、指を挟まないように、ストッパー５８の下側部分に切欠き５９を形成している。
【００１８】
ドアの開閉構造５３では、戸当たり５６は、ドア１１の回動角度が手前側、奥側にそれぞれ９０度となるように、円弧の前後は実質的に等しく切削されている。なお、この切削により、戸当たり５６の円弧の中心角α2 は約５６度となっている。更に、それぞれの切削部分上部にはストッパー６０、６１を有し、ストッパー６０、６１の下側はそれぞれ切欠き６２、６３を形成している。
ドアの開閉構造５４では、戸当たり５７は、ドア１１の回動角度が手前側、奥側にそれぞれ９０度、７０度となるように、円弧の前後にそれぞれストッパー６４、６５を有して切削されている。なお、この切削により、戸当たり５７の円弧の中心角α3 は約８３度となっている。ストッパー６４、６５の下側にはそれぞれ切欠き６６、６７を形成している。
【００１９】
次に、図４（Ａ）、（Ｂ）、（Ｃ）を参照して本発明の他の実施の形態に係るドアの開閉構造６８について説明する。なお、ドアの開閉構造１０と同一の構成要素については同一の番号を付してその詳しい説明を省略する。ドアの開閉構造６８は、ドア枠６９が壁１５から手前側に長く形成され、また、ドア１１は壁１５よりも手前に配置され、ドア１１と壁１５は同一平面上にない構造である。また、ドアの開閉構造６８の開閉角度は、ドアの閉止状態から奥側に０度、手前側には１８０度である。ドア１１、取付け金具１３、１４及び壁１５は、それぞれ前後方向に同じ厚み（例えば、厚さ３０ｍｍ）に形成されている。
ドア１１は、一側（回動中心側）端部の断面形状を回動軸心１６を中心とした半径ａ（１５ｍｍ）の半円形に形成され、回動軸心１６を中心として小径の軸穴１７が穿設されている。ドア１１の切欠き１８に木ねじで取付け金具１３が取付けられている。
【００２０】
ドア枠６９は、木製の枠体７０とアルミニウム製の戸当たり７１を有している。枠体７０は、それぞれ厚さｔが３０ｍｍの板からなる天板７２、底板７２ａ、左右の側板７４、７５を有している。天板７２及び底板７２ａは、それぞれ枠体７０と同じ幅に形成され、側板７４及び７５は、それぞれ枠体７０の内側の高さと同じ長さに形成されている。すなわち、側板７４、７５の上下に天板７２及び底板７２ａがかぶさって枠体７０が組み立てられている。また、天板７２、底板７２ａ、及び側板７５は、前後方向（図４（Ａ）において紙面に対して垂直方向）の厚みを、ドア１１、壁１５、及び戸当たり７１を合わせた厚みｃに形成され、また、側板７４は、前後方向の厚みを、壁１５と同じ厚みｄ（３０ｍｍ）に形成されている。
更に、天板７２の内側上部には、取付け金具１４を取付ける切欠き７６が設けられ、また、底板７２ａの内側下部には、取付け金具２６を取付ける図示しない切欠きが設けられている。
【００２１】
戸当たり７１のドア１１の一方側が対峙する内側断面形状は、図３（Ｂ）の戸当たり５６の円弧側と実質的に等しく形成され、回動軸心１６を中心とした半径ｂ（ｂ＝ａ＋隙間、つまり、１５＋２＝１７ｍｍ）の円弧を有している。更に、戸当たり７１は、ドア１１の閉止状態からの回動角度θ4 を手前側に１８０度（回動軸心１６を中心として左右に各９０度）とするストッパー７７、７８が設けられ、更に切欠き７９、８０を有し、図示しない木ねじによって枠体７０に取付けられている。なお、戸当たり７１の円弧の中心角βは約５６度となっている。
更に、また、ドア１１が奥側に開かないように、ドア１１の他側の枠体７０上部には木製のＬ字型のストッパー８１が図示しない木ねじで取付けられている。ストッパー８１は、ドア１１の閉止状態において、ドア１１の他端部側上部の奥側に当たるように配置されている。
【００２２】
本発明は、前記した実施の形態に限定されるものではなく、本発明の要旨を変更しない範囲での変更は可能であり、例えば、前記した実施の形態や変形例の一部又は全部を組み合わせて本発明のドアの開閉構造を構成する場合も本発明の権利範囲に含まれる。
例えば、ドア枠を、枠体と戸当たりを組み合わせて構成したが、一体形成してドア枠を形成してもよい。また、ドアを木製としたが、アルミニウム製でもよく、更には、鉄等の金属で形成してもよい。ドアを鉄等の重い材料で形成したときには、その重量に耐えられるように、ドア枠の強度を強くする必要がある。また、取付け金具はステンレスで形成したが、鉄でもよい。ドア及び取付け金具を鉄で形成する場合は、一体に形成してもよい。
【００２３】
また、軸棒は、枠体に設置した取付け金具に設けたが、ドアに取付ける取付け金具に軸棒を備え、ドア枠に軸穴を穿設してもよい。取付け金具の木ねじ取付け孔を２個としているが、取付け孔の数を増やし、更に、回動軸心を中心とした半径ａの円内に取付け孔を設けてもよい。しかしながら、前記したドアの取付け方法では、ドア枠上部の取付け金具は、回動軸心を中心とした半径ａの円内に取付け孔を設けることができない。
戸当たりの切削によるドア１１の閉止状態からの回動角度は、７０度、９０度、１００度としたが、戸当たりを切削しない場合、ドア１１の閉止状態からの回動角度はおよそ６０度であるので、戸当たりの切削により、６０度以上の角度では様々に回動角度を変えることができる。なお、それ未満の回動角度にはできないが、６０度未満の回動角度のドアは実用的ではない。戸当たりを切削して、戸当たりの円弧の中心角を、約５６度、８０度、８３度、９０度としたが、３０〜１３０度の範囲のいずれに形成してもよい。
また、ドアとドア枠には、ゴム、スポンジ状物質、及びＡＴ等のクッション材を設けてもよい。
【００２４】
【発明の効果】
請求項１〜３記載のドアの開閉構造においては、ドアの一側端部の断面形状を、ドアの取付け部材に対する回動軸心を中心とする半径ａの円弧に形成し、ドアの一方側が対峙するドア枠の内側断面形状を回動軸心を中心とする半径ｂの円弧に形成し、しかも、半径ｂが半径ａより５ｍｍ以下の範囲で大きいので、ドアとドアの一方側が対峙するドア枠の隙間に指等が入り込む等の事故を防止することができる。
特に、請求項２記載のドアの開閉構造においては、ドアの回動軸心は、前後方向中心位置にあって、ドアの一側端部の断面形状は半円であるので、ドアの回動軸心及びドアの回動軸心側の一側端部の設計及び形成が簡単になると共に、ドアの一側端部が対峙するドア枠の内側断面形状の円弧の設計及び形成が簡単になり、ドアやドア枠の生産性が向上する。
そして、請求項３記載のドアの開閉構造においては、ドアの一側端部及び／又はドア枠の内側には、少なくともドアの閉止時にドアとドア枠のシールを行うシール部材が設けられているので、ドアの閉止時にはドアとドア枠がシールされ、温度差のある空気や雨等がドアとドア枠の隙間からは侵入せず、気密性、水密性が向上する。
【図面の簡単な説明】
【図１】（Ａ）は本発明の一実施の形態に係るドアの開閉構造の一部省略正面図、（Ｂ）は矢視Ａ−Ａ断面図である。
【図２】（Ａ）、（Ｂ）はそれぞれ同ドアの開閉構造の取付け金具の説明図、その変形例の説明図である。
【図３】（Ａ）〜（Ｃ）はそれぞれドアの回動角度を９０度、１８０度、１６０度とした場合のドアの開閉構造を示す説明図である。
【図４】（Ａ）は本発明の他の実施の形態に係るドアの開閉構造の一部省略正面図、（Ｂ）は矢視Ｂ−Ｂ断面図、（Ｃ）は一部省略側面図である。
【図５】従来例に係る丁番を用いたドアの開閉構造の説明図である。
【符号の説明】
１０：ドアの開閉構造、１１：ドア、１２：ドア枠、１３、１３ａ：取付け金具、１４：取付け金具、１５：壁、１６：回動軸心、１７、１７ａ：軸穴、１８、１８ａ：切欠き、１９、１９ａ：軸受け孔、２０：木ねじ、２１、２１ａ、２１ｂ：取付け孔、２２：枠体、２３：戸当たり、２４、２４ａ：切欠き、２５：軸棒、２６、２７：取付け金具、２８、２９：軸棒、３０：取付け金具本体、３１：ボルト、３２：ナット、３３：スペーサー、３４：取付け孔、３５：取付け金具本体、３６：ボルト、３７：取付け穴、３８：スペーサー、３９：ヘッド、４０：取付け孔、４２：ストッパー、４３：切欠き、４４：切欠き、４５：凸部、４６：取付け孔、４７：ストッパー、４８、４９：拡幅切れ込み部、５０、５１：ゴムパッキン、５２、５３、５４：ドアの開閉構造、５５、５６、５７：戸当たり、５８：ストッパー、５９：切欠き、６０、６１：ストッパー、６２、６３：切欠き、６４、６５：ストッパー、６６、６７：切欠き、６８：ドアの開閉構造、６９：ドア枠、７０：枠体、７１：戸当たり、７２：天板、７２ａ：底板、７４、７５：側板、７６：切欠き、７７、７８：ストッパー、７９、８０：切欠き、８１：ストッパー
【図１】
0003669983.tif 000002
【図２】
0003669983.tif 000003
【図３】
0003669983.tif 000004
【図４】
0003669983.tif 000005
【図５】
0003669983.tif 000006